(57)【要約】【課題】  少ない燃料で燃焼筒内の温度を確実に上げ燃料の消費を抑制した温風暖房機を提供する。【解決手段】  燃焼筒５内部には燃料と空気とを混在させるバーナー部１１と燃焼させるバーナーヘッド部１２が設置されバーナーヘッド部１２より上部に上がる火炎を安定させるためバーナーヘッド部１２の直上に空間を設け鋼製の燃焼棟６の区画部７を設置することで、バーナーヘッド部１２より上がる火炎で鋼製の区画部７を燃焼させ熱を蓄積し、燃焼された区画部７を燃焼ガスが燃焼棟６の区画部７の各区画１３内部を通過させることで燃焼ガスが過熱された各区画１３で焼かれ燃焼ガスの温度が上昇する。【選択図】図１
2018091595.tif 000002
【特許請求の範囲】
【請求項１】
石油を気化させ空気とを混合し、バーナーにて燃焼させるバーナー部と、燃焼した火炎が発生するバーナー部上面のバーナーヘッド部の上部に鋼製の燃焼棟を設けることでバーナーによって発生した火炎と燃焼ガスが燃焼棟を通過し不燃材の燃焼棟を焼きながら加熱されたことで鋼製の燃焼棟自体も熱を蓄積することにより燃焼棟を通過する燃焼ガスがさらに温められ燃焼ガスを高温に上昇させる燃焼筒を有することを特徴とする温風暖房機。
【請求項２】
前記鋼製の燃焼棟はいくつかの区画に分かれその区画を燃焼ガスが通過し鋼材を熱し、燃焼ガスの温度を上昇させることを特徴とする請求項１記載の温風暖房機。
【請求項３】
前記鋼製の燃焼棟にはいくつかの区画に分かれているが区画と区画を分けている鋼製の厚みは左右前後の方向によって異なる厚みが混在することを特徴とする請求項１乃至２のいずれか１項記載の温風暖房機。
【請求項４】
前記鋼製の燃焼棟はバーナーヘッド部の上部に位置することから燃焼を阻害しないようバーナーヘッド部より大きい物で燃焼棟足部が燃焼筒基盤に設置され燃焼棟区画部分の下部とバーナーヘッド部上部との間には空間が確保され空気が流入することで火炎を安定させることを特徴とする請求項１乃至３のいずれか１項記載の温風暖房機。
【請求項５】
前記鋼製の燃焼棟の区画部分の下部はバーナーヘッドより上がる火炎を区画の断面によって抵抗の無いよう火炎が分かれるように三角状に形成されていることを特徴とする請求項１乃至４のいずれか１項記載の温風暖房機。
【請求項６】
前記鋼製の燃焼棟はバーナー式や対流式や輻射式で縦型や横型のどのような形状の暖房機であっても燃焼棟の形状を暖房機の形状に合わせることができることを特徴とする請求項１乃至５のいずれか１項記載の温風暖房機。
【発明の詳細な説明】
【発明の詳細な説明】
【技術分野】
【０００１】  本発明は、燃料を燃焼することで発生する燃焼ガスを送風機より発する風と混合し温風とすることで暖房とする温風暖房機に関するものである。
【背景技術】
【０００２】  現在使用されている通常のストーブは灯油を噴霧上にしてバーナーで燃焼し、燃焼した燃焼ガスを燃焼筒より放出、送風機の風と熱を混合し温風として暖房している。【０００３】
【発明が解決しようとする課題】
【０００４】  しかし上記従来の燃焼筒ではバーナーで熱せられた燃焼ガスが燃焼筒内を上昇し送風機が発する風と混ざり温風となりダクトより送風されるだけで、燃焼ガスが十分に生かされず、暖房するだけで灯油を無駄に消費し、暖房効果も十分ではない。
【０００５】  本発明は、上記従来の実情に鑑みて発明されたものであって、確実に燃焼ガスの温度を効率良く上げることで燃料消費を抑え、さらにさまざまなタイプのバーナー式や対流式、反射式の全てのストーブ類に取付けれることを解決すべき課題としている。
【課題を解決するための手段】
【０００６】  本発明は上記課題を解決するために請求項１では燃焼筒内部には燃料を気化させ空気とを混合しバーナーで燃焼させるバーナー部と、燃焼した火炎が出るバーナー部の上部にあたるバーナーヘッド部の全体を覆うように鋼製の燃焼棟が設けられ、バーナーヘッド部より上がる火炎と燃焼ガス全てが燃焼棟内部を通過することで鋼製の燃焼棟本体が火炎に焼かれ熱を持ち燃焼ガスを熱しながら何省ガスが温度を上げながら燃焼筒上部へ燃焼ガスが導かれ、燃焼筒の外部から送られる送風と混合して温風となるものである。
【０００７】  請求項２にかかる温風暖房機では、請求項１において鋼製の燃焼棟はバーナーヘッド部より大きく形成されており燃焼棟下部より上がる火炎と燃焼ガス全てが各区画に流入するように複数の区画が設けられ各区画が煙突の役割をなして火炎を引上げるように形成されたものである。
【０００８】  請求項３にかかる温風暖房機では、請求項１乃至２において鋼製の燃焼棟の区画部分は円や四角など様々な形状の区画によって形成でき、区画と区画の間隔は鋼製の厚みを厚くする方向と薄くする方向が混在するように形成できるものである。
【０００９】  請求項３にかかる温風暖房機では、請求項１乃至２において鋼製の燃焼棟の区画部分の形状は前記［０００８］記載の形状や、厚みを均一の厚みに揃えて形成できるものでもある。
【００１０】  請求項３にかかる温風暖房機では、請求項１乃至２において鋼製の燃焼棟の区画部分の形状は前記［０００８］、［０００９］記載の形状や、鋼製材で火炎や燃焼ガスが通過し火炎の熱を蓄積し、燃焼ガスを熱することが可能であれば市販のステンレス製束子でもバーナーヘッド部上部に設置することもできる。
【００１１】  請求項４にかかる温風暖房機では、請求項１乃至３において燃焼棟はバーナーヘッド部の大きさより大きく形成され、燃焼棟足部が燃焼基盤に接する部分はバーナーヘッド部より大きくバーナーヘッド部で燃焼される火炎の燃焼を阻害しないように設置されさらに燃焼棟区画部の下部はバーナーヘッド部より上位に位置することで火炎に空気が流入するように設置され区画にも火炎と一緒に空気が流入上昇するように形成したものである。
【００１２】  請求項５にかかる温風暖房機では、請求項１乃至４において燃焼棟区画部の下部はバーナーヘッド部より上がる火炎の上昇を区画の断面を三角形に形成し火炎を割き上昇させるように形成したものである。
【００１３】  請求項６にかかる温風暖房機では、請求項１乃至５において燃焼棟の形状はどのような形にも形状できるもので、燃焼する装置を有するものであれば縦型や横型であっても燃焼棟の区画部を設けることができるものである。
【発明の効果】
【００１４】  本発明の請求項１によれば、燃焼筒内部の燃焼棟はバーナーヘッド部の上部に位置することでバーナーの火炎が鋼製の燃焼棟を加熱しさらに鋼製材本体が火炎の加熱によって熱を蓄積しその熱を放出するため燃焼棟を設置していないときより燃焼筒の内部温度が上昇し燃焼ガスが冷めない状態で燃焼筒から出るまで熱い状態である。
【００１５】  本発明の請求項２によれば、燃焼棟の区画部はバーナーヘッド部直上に位置することによって火炎が各区画部へ直接入り火炎自体が分かれて上昇することで各区画が煙突の役割となり火炎を引上げ区画部内部の側壁を火炎が直接加熱し燃焼棟本体を加熱し内部が熱せられた区画内部壁面を燃焼ガスが通過するだけで燃焼ガスの温度も上昇する。
【００１６】  本発明の請求項３によれば、燃焼棟の区画部はバーナー部の大きさや温風暖房機の種類によって区画部の種類や形状及び区画部下部から区画部上部の距離、各区画部と区画部の厚みを変えれることで鋼材の厚みを薄くすると鋼材はすぐに温まり、鋼材を厚くすると鋼材が熱を蓄積し区画部の内部を熱くすることでバーナーで燃焼された石油が燃焼ガスとなり熱を発するがさらに区画内部の下部から上部までの距離を長くすること燃焼ガスが通過することで鋼材の熱によって燃焼ガスが過熱される時間が長くなりさらに温度が上昇する。
【００１７】  本発明の請求項４によれば、燃焼棟はバーナーヘッド部の直上に位置されるため燃焼棟の区画部下部の位置が低いとバーナーヘッド部との距離が近すぎるため火炎が抑圧され燃焼異常の原因となるため、燃焼棟はバーナーヘッド部より大きく燃焼棟足部を設けることで四角形の形状であれば左右２面が足部、前後２面が空気が流入するように開口部を設け燃焼に必要な空気を確保でき、区画部下部の高さを有することで火炎が安定し上昇する。
【００１８】  本発明の請求項５によれば、燃焼棟の区画部分の下部はバーナーヘッドより上がる火炎を鋼製の区画部下部の断面が切断面で無加工の場合、平らな状態だと火炎が平らな断面に当たり火炎が横方向へ飛散し燃焼効率が低下するため、区画部下部の切断面を抵抗の少ない三角形状に形成することで抵抗が軽減され火炎が三角形状部分で乱れ偏ることなく分かれ各区画部へ火炎及び燃焼ガスが安定して流入する。
【００１９】  本発明の請求項６によれば、燃焼棟は縦型や横型でも形状が形成出来ることで燃焼する装置を有するものであれば設置することが可能である。
【発明を実施するための最良の形態】
【００２０】  本発明にかかる実施例を図面に基づいて説明する。【００２１】  図１は実施形態の概略断面図で温風暖房機本体１の、前面には温風吹出口２より温風が吹出し、その温風は送風ボックス３内に流入する送風ファン４より送風される。【００２２】  燃焼筒５の内部には、燃焼棟６が設置されており、燃焼棟６の内部には区画部７があり区画１３が多数形成され区画部７となり、その区画部７の下部に当たる区画部下部８はバーナー部１１内部で噴射される燃料と空気とを混合し点火装置２０にて着火し燃焼させ、バーナーヘッド部１２より上がる火炎を区画部７の各区画１３を通過する。【００２３】  図２で示すように、燃焼棟６はバーナーヘッド部１２より大きく形成されており、バーナーヘッド部１２の直上でまたぐ形で燃焼棟足部１０が燃焼基盤１８に設置されている。【００２４】  前記記載のバーナーヘッド部１２より上る火炎は燃焼棟６の区画部下部８を通過するさい三角状に形成された火割り９にて火炎が割かれ燃焼ガスとともに区画部７の各区画１３を通過する。【００２５】  鋼製の燃焼棟６の区画部７には複数の区画１３が形成され、区画１３の形状は円や四角や長方形などの形に形成出来、バーナー部１１やバーナーヘッド部１２の大きさや形状に合わせて燃焼棟６は形成できる。【００２６】  区画部７の区画１３において円状の区画１３に形成した場合、図３で図示するように円状の区画１３を４つ図示して説明する。【００２７】  前記記載の円状の区画１３を４つ集め、区画１３と区画１３の横ＡＡ´間と縦ＢＢ´間の間隔は同じ厚みで揃えて形成するが、図３の▲１９▼の斜線で記載されたエリア部分の斜めＣＣ´間の厚みはＡＡ´やＢＢ´より厚くなるため、バーナーヘッド部１２より上がる火炎の熱は区画１３と区画１３の鋼材の厚みＡＡ´及びＢＢ´はＣＣ´より薄いため素早く加熱せられ熱くなり、ＣＣ´は鋼材の厚みが厚い分、ＡＡ´及びＢＢ´間の鋼材より熱くなるまでに時間を有するため加熱後はＡＡ´及びＢＢ´より熱く熱を発する。【００２８】  さらに区画部７における区画１３の形状は図５や図６の形状で形成することで温風暖房機の仕様、利用形態に合わせて形成することができる。【００２９】  燃焼棟６はバーナーヘッド部１２の直上に設置されておりバーナーヘッド部１２と区画部下部８の距離を開けて火炎が抑制されないよう空間が設けられており、その空間より火炎に必要な空気が容易に流入するよう形成されている。【００３０】  前記記載のように容易に空気が流入することで火炎が安定し直上の区画下部８より区画１３に流入するが、区画下部８に火割９が形成されていないと区画１３と区画１３の間は平らな状態であり、火炎が上昇するとき平らな部分に当たると火炎が乱れ燃焼の妨げになるため、図４に図示しているとおり火割９が三角状に形成され火炎の上昇を抵抗をなくしている。【００３１】  以上のように燃焼筒５の内部は前記の構造により燃焼棟６全体が熱くなることで燃焼ガスが現在市販されている可燃ガスよりも高温になる構造で、燃焼筒５内部全体が熱くなり燃焼筒５全体からも可燃ガス以外に燃焼筒５より熱気が放出され、送風ボックス３全体に熱気が伝わる構造となり、送風ボックス３の外側には燃焼筒５の熱気で電子基盤１���が破損しないよう送風ボックス３全体に断熱材１７が敷設されている。【００３２】  次に温風暖房機の燃焼状態について説明する。
バーナーヘッド部１２より上がる火炎及び燃焼ガスは、区画１３を通過するとき、区画壁面１４を熱することでＡＡ´及びＢＢ´は鋼材が薄い分すぐに温まり、その熱で可燃ガスを熱しながらＣＣ´の間の鋼材が熱せられるが、温風暖房機本体１の電源を入れ燃焼が開始された時点から燃焼棟６がすぐに熱せられるよう区画１３と区画１３ＡＡ´、ＢＢ´が薄く燃焼ガスが完全に燃焼され、不完全燃焼を防止する。【００３３】  熱せられた区画部７内部の側壁１４はバーナーヘッド部１２より上がる火炎及び燃焼ガスを各区画１３内部で再加熱し燃焼ガスの温度を上昇させながら、区画部上部１５より放出し燃焼筒５より送風ボックス３へ燃焼ガスが流入する。【００３４】  送風ボックス３へ流入した可燃ガスは、送風ファン４からの風と交わり温風となり温風吹出口２より吹出される。
【図面の簡単な説明】
【００３５】
【図１】この発明の実施形態の概略断面図
【図２】燃焼棟の概略斜視図
【図３】区画部の一部拡大図
【図４】区画部断面の一部拡大図
【図５】区画部の利用形態斜視図１
【図６】区画部の利用形態斜視図２
【符号の説明】
【００３６】１    温風暖房機本体
５    燃焼筒
６    燃焼棟
７    区画部
９    火割
１２  バーナーヘッド部
１３  区画
【図１】
2018091595.tif 000003
【図２】
2018091595.tif 000004
【図３】
2018091595.tif 000005
【図４】
2018091595.tif 000006
【図５】
2018091595.tif 000007
【図６】
2018091595.tif 000008